(57)【要約】【課題】  リール脚を取付ける際に仮置き状態を採り易く、取付た状態で強固に維持できるリールシートを有する釣り竿を提供する。【解決手段】  リール脚５を保持する可動フード３と固定フード２とを備えたリールシートＡに、シートベース１に載置されたリール脚５と可動フード３との間に位置して、リール脚５を固定フード２に向けて付勢する圧縮スプリング６を設けてある。【選択図】        図１
2008141997.tif 000002
【特許請求の範囲】
【請求項１】
リール脚を保持する一対のフードのうち少なくとも一方が可動フードであるリールシートに、前記リールシートのシートベースに載置された前記リール脚と一方の前記可動フードとの間に位置して、前記リール脚を他方のフードに向けて付勢する付勢手段を設けてある釣り竿。
【請求項２】
リール脚を保持する一対のフードのうち少なくとも一方が可動フードであるリールシートに、前記リールシートのシートベースに載置された前記リール脚と前記可動フードを挟んで反対側に位置するその可動フードを駆動するナットとの間に亘って、前記リール脚を他方のフードに向けて付勢する付勢手段を設けてある釣り竿。
【発明の詳細な説明】
【技術分野】
【０００１】
本発明は、リール脚を保持する一対のフードを備えたリールシートを有している釣り竿に関する。
【背景技術】
【０００２】
リールシートを構成するに、一方に固定フードを配置し、他方に可動フードを配置して、リール脚の一端を固定フードに差込むとともに、他端を可動フード側に配置し、ネジ溝が設けられているリールシートのシートベース上でナットを回転させて可動フードを移動させて他端を押え込み、リールをリールシートに固定していた（特許文献１参照）。
【０００３】
【特許文献１】特開２００３−２３５４１０号公報（段落番号〔０００２〕、及び、図１）
【発明の開示】
【発明が解決しようとする課題】
【０００４】
上記構成によると、リールシートにリール脚を載置する際には、可動フードを固定フードから離間させた状態で、その可動フードと固定フードとの間にリール脚を差し入れてシートベースに載置した後に、リール脚の一端を固定フード内に差込み、可動フードを固定フード側に移動させて、可動フードでリール脚の一端を押え固定するとともに、固定フードでリール脚の他端を押え固定する方法が採られている。
上記したような取付方法では、可動フードと固定フードとの間にリール脚を差し入れてシートベースに載置した状態では、リール脚は固定状態にはないので、一方の手でリールを支持しながら他方の手でナットを操作して可動フードを移動させる操作形態が必要となり、大型のリールを取り付ける場合には、取付操作に苦慮することもあった。
一方、可動フードを変更しないで、異なる大きさのリールをリールシートに装着することがあるが、リールが大型でリール脚の長さや厚さが通常のサイズと大きく異なるような場合には、可動フードで脚部におけるリール本体から離れた部位を押えることとなる。また、リール本体自体が大型化して重量の重いものになる場合には、可動フード単独では十分な締め付け力が発揮できず、可動フードとリール本体との間で釣り操作途中に緩みを生ずる虞もあった。
【０００５】
本発明の目的は、上記した不都合を解消し、取付け易く、取付けた状態で強固に維持できるリールシートを有する釣り竿を提供する点にある。
【課題を解決するための手段】
【０００６】
〔構成〕
請求項１に係る発明の特徴構成は、リール脚を保持する一対のフードのうち少なくとも一方が可動フードであるリールシートに、前記リールシートのシートベースに載置された前記リール脚と一方の前記可動フードとの間に位置して、前記リール脚を他方のフードに向けて付勢する付勢手段を設けてある点にあり、その作用効果は次の通りである。
【０００７】
〔作用〕
つまり、一対のフードを離間させた状態で、そのフード間にリール脚を差し入れてシートベースに載置した状態で、付勢手段がリール脚に作用して他方のフードに向けて付勢するところから、可動フードを操作する際に、リール脚を一方の手で支持する必要はないか、または、支持するにしても軽く支持するだけでよい。
可動フードで固定した状態では、常に、可動フードに付勢手段の付勢力は反力として作用しているところから、付勢手段が緩み止め効果を発揮し、可動フードが緩み難くなっている。
【０００８】
〔効果〕
付勢手段の採用によって、リールをリールシートに取付けて可動フードを移動させて、確実に固定するまでのリール脚押え操作が楽になり、また、取り付けた後には可動フードが緩み難くなり、サイズの異なるリールにも緩みなく取り付け固定することができるようになった。
【０００９】
請求項２に係る発明の特徴構成は、リール脚を保持する一対のフードのうち少なくとも一方が可動フードであるリールシートに、前記リールシートのシートベースに載置された前記リール脚と前記可動フードを挟んで反対側に位置するその可動フードを駆動するナットとの間に亘って、前記リール脚を他方のフードに向けて付勢する付勢手段を設けてある点にあり、その作用効果は次の通りである。
【００１０】
〔作用効果〕
請求項１に係る発明の作用効果と同様である。
それに加えて付勢手段を可動フードではなくナットに亘る範囲まで配置しているので、付勢手段として十分な長さを採って設置することが可能になり、必要な付勢力及び収縮長さを得ることが容易になる。
【発明を実施するための最良の形態】
【００１１】
〔第１実施形態〕
筒状のリールシートＡの構造について説明する。図１に示すように、筒状のリールシートＡは、竿素材ａの所定位置に外嵌固定される筒状のシートベース１と、シートベース１の竿先側に一体形成されている他方のフードとしての固定フード２と、シートベース１の竿元側に配置される一方のフードとしての可動フード３と、シートベース１の竿元側に形成された雌ネジ部１Ａに螺合されているナット４とを備えている。
【００１２】
図１に示すように、可動フード３は、竿の軸線Ｘに沿ってスライド移動可能にシートベース１に装着されており、雌ネジ部１Ａに螺合されているナット４によって駆動される。
可動フード３は、筒状体を呈しており、円周方向の一箇所に膨出部を形成してあり、その膨出部の内部空間にリール脚５の一端５ａを挿入させて保持するものである。また、筒状体の内部にはシートベース１の外周面との間にドーナツ状の空間を形成する内部空間Ｂを形成してあり、その内部空間Ｂ内に圧縮スプリング６をシートベース１に外嵌した状態で設けてある。
【００１３】
図１に示すように、圧縮スプリング６は、可動フード３の内部空間Ｂの奥壁３ａに一端６ａを受止られ、他端６ｂをリール脚５の一端５ａに当接すべき状態で設けてある。これによって、圧縮スプリング６でリール脚５を固定フード側に付勢する構成が設けられる。ここに、圧縮スプリング６を、リール脚５を他方のフードに向けて付勢する付勢手段と称する。
【００１４】
以上の構成によって、リール脚５をリールシートＡに取り付ける場合には、可動フード３に保持されて他端６ｂをリール脚５に向けて延出している圧縮スプリング６の他端６ｂを可動フード３側に押込み、図１（イ）に示すように、リール脚５をシートベース１に載置すると同時に圧縮スプリング６に対する押込力を解放し、圧縮スプリング６の他端６ｂをリール脚５の一端５ａに当て付けて、リール脚５を仮止めする。
【００１５】
リール脚５を仮止めした後には、図１（ロ）に示すように、ナット４を回転させて可動フード３を移動させて，リール脚５を保持固定する。このナット４を回転駆動する際に、リール脚５が仮止めされているので、リール脚５を保持することに意を配することが少なく、ナット４等を回転して可動フード３を移動させることに集中することができる。
【００１６】
〔第２実施形態〕
第１実施形態と異なる部分だけ主として説明する。図２に示すように、リール脚５の一端５ａと圧縮スプリング６の他端６ｂとの間に、ワッシャー部材７を配置する。
これによって、圧縮スプリング６のコイル径がリール脚５の一端５ａに対して適合しない場合であっても、ワッシャー部材７を介在させることによって、付勢力を適切に作用させることができる。
【００１７】
つまり、図２に示すように、ワッシャー部材７の内円縁部をリール脚５の一端５ａに当接し、ワッシャー部材７の外円縁部で圧縮スプリング６の他端６ｂを受け止めることができるので、圧縮スプリング６として、コイル径をリール脚５の載置位置に限定されていない。
尚、ワッシャー部材７の内円縁部に鍔７ａを形成して、シートベース１に接触する長さを確保し、ワッシャー部材７のシートベース１に外嵌する姿勢を安定したものにする構成を採っている。
【００１８】
〔第３実施形態〕
第１実施形態、及び、第２実施形態では、圧縮スプリング６の一端６ａを、可動フード３の内部空間Ｂの奥壁３ａに当接させて、圧縮スプリング６を保持していたが、第３実施形態では、圧縮スプリング６の一端６ａをナット４で受け止める構成を採る。
【００１９】
つまり、図３に示すように、可動フード３の内部空間の奥壁３ａを無くして貫通させるとともに、ナット４に凹入空間４Ａを形成し、ナット４の凹入空間４Ａの奥壁によって、圧縮スプリング６の一端６ａを受け止める構成を採る。
【００２０】
このように、圧縮スプリング６を、可動フード３を貫通させてナット４の内部空間４Ａに至る状態で設置できるので、可動フード３の奥壁３ａで受け止めていた場合にくらべて、圧縮スプリング６の設置長を長く採ることができ、付勢力の設定が容易になる。
【００２１】
〔第４実施形態〕
第１実施形態から第３実施形態では、リール脚５を他方のフードに向けて付勢する付勢手段として、圧縮スプリング６を採用したが、ここでは、皿バネ８を採用する。図４に示すように、複数枚の皿バネ８を互いに向き合う状態に重ね合わせて、竿軸線方向に沿って並置し、リール脚５に対して付勢力を付与する。
【００２２】
図４では、ワッシャー部材７を皿バネ８とリール脚５との間に介在させる構成を提示したが、皿バネ８の内周縁部がリール脚５の一端５ａに確実に当接できるものであれば、ワッシャー部材７は必要としない。
また、皿バネ８を収納する内部空間Ｂを可動フード３に止めたが、第３実施形態で提示したように、可動フード３を貫通してナット４の内部空間で受け止めるようにしてもよい。
【００２３】
〔別実施構造〕
（１）  上記した各実施形態では、一対のフードを固定フード２と可動フード３で構成したが、両フードを可動フード３で構成してもよい。この場合には、付勢手段を少なくとも何れか一方の可動フード３に保持させる構成を採ればよい。
（２）  上記した各実施形態では、付勢手段として可動フード３に対応して設けたが、固定フード２と可動フード３との両方に配置してもよい。
（３）  付勢手段として、圧縮スプリング６と皿バネ８とを採用する旨を記載したが、ゴムを材料とした弾性変形性の高い筒状部材を採用してもよい。
（４）  付勢手段としては、固定フード２に保持させて設けてもよい。この場合には、付勢手段は、リール脚５を可動フード３に向けて付勢することとなる。
【図面の簡単な説明】
【００２４】
【図１】（イ）リール脚をシートベースに載置して、圧縮スプリングでリール脚を固定した仮置き状態を示す縦断側面図、（ロ）可動フードでリール脚を固定した状態を示す縦断側面図
【図２】リール脚と圧縮スプリングとの間にワッシャー部材を介在させた別実施構造を示す縦断側面図
【図３】リール脚とナットとの間に圧縮スプリングを介在させた別実施構造を示す縦断側面図
【図４】圧縮スプリングの代わりに皿バネを介在させた別実施構造を示す縦断側面図
【符号の説明】
【００２５】
１            シートベース
２            固定フード（一対のフード）
３            可動フード
４            ナット
５            リール脚
５ａ          リール脚の一端
６            圧縮スプリング（付勢手段）
７            ワッシャ部材
８            皿バネ（付勢手段）
ａ            竿素材
【図１】
2008141997.tif 000003
【図２】
2008141997.tif 000004
【図３】
2008141997.tif 000005
【図４】
2008141997.tif 000006